(57)【要約】【課題】自動変速機の操作装置として接続される機器を特定して、特定された機器に対応した変速制御を実施する。【解決手段】ＥＣＵは、Ｍポジションではなく（Ｓ１００にてＮＯ）、アップシフト信号またはダウンシフト信号を受信すると（Ｓ１０２にてＹＥＳ）、パドルシフト装置が装着されていることを認識するステップ（Ｓ１０４）と、アップシフト信号およびダウンシフト信号のうちのいずれの信号も受信しないと（Ｓ１０２にてＮＯ）、パドルシフト装置が装着されていないことを認識するステップ（Ｓ１０６）と、認識結果およびアップシフト信号またはダウンシフト信号に基づいて変速制御を実施するステップ（Ｓ１０８）とを含む、プログラムを実行する。【選択図】図５
2010025277.tif 000002
【特許請求の範囲】
【請求項１】
車両の制御装置であって、前記車両は、複数のギヤ段が設定され、自動的に前記ギヤ段を変更する自動変速モードと運転者の変速指示に応じて前記ギヤ段を変更する手動変速モードとを有する自動変速機と、前記変速指示を受ける操作装置とを含み、前記操作装置は、前記変速指示を受けるための第１の操作部と、前記第１の操作部と独立して前記ギヤ段のアップシフトまたはダウンシフトの指示を受けるための第２の操作部とを含み、前記第１の操作部は、操作部材を有し、前記操作部材を前記手動変速モードに対応する予め定められた位置に移動することにより前記ギヤ段のアップシフトまたはダウンシフトの指示を受けることが可能となり、
前記制御装置は、
前記変速指示に対応した前記操作装置の状態を検出するための検出手段と、
前記操作部材が前記予め定められた位置に移動されていない場合に、前記操作装置が前記ギヤ段のアップシフトまたはダウンシフトの指示を受けたことを検出したときには、前記第２の操作部が前記車両に装着されていることを認識するための認識手段と、
前記操作装置の状態および前記認識手段の認識結果に基づいて前記自動変速機を制御するための制御手段とを含む、車両の制御装置。
【請求項２】
前記制御装置は、前記操作装置が前記第１の操作部および前記第２の操作部を含む場合と、前記第１の操作部のみを含む場合の両方に用いることが可能であり、
前記制御装置は、前記車両の出荷前に、前記操作装置の状態に基づく前記認識手段の認識結果を不揮発メモリに記憶するための手段をさらに含む、請求項１に記載の車両の制御装置。
【請求項３】
前記検出手段は、
前記操作部材の位置を検出するための手段と、
前記第１の操作部および前記第２の操作部のうちの少なくともいずれか一方に対する前記ギヤ段のアップシフトまたはダウンシフトの操作を検出するための手段とを含み、
前記認識手段は、前記操作部材の位置が前記予め定められた位置ではなく、かつ、前記ギヤ段のアップシフトまたはダウンシフトの操作を検出した場合に、前記第２の操作部が前記車両に装着されていることを認識する、請求項１または２に記載の車両の制御装置。
【請求項４】
前記制御手段は、
前記第２の操作部が前記車両に装着されていることが認識された場合に、前記第２の操作部が前記車両に装着されていない場合と異なる前記自動変速機の変速特性を設定するための手段と、
前記操作装置の状態および設定された変速特性に基づいて前記自動変速機を制御するための手段とを含む、請求項１〜３のいずれかに記載の車両の制御装置。
【請求項５】
前記車両は、ステアリングホイールをさらに含み、
前記第２の操作部は、前記運転者による前記ステアリングホイールの操作中に操作が可能な位置に設けられる、請求項１〜４のいずれかに記載の車両の制御装置。
【請求項６】
前記第２の操作部は、パドルシフトスイッチである、請求項１〜５のいずれかに記載の車両の制御装置。
【請求項７】
前記第１の操作部は、シフトレバーと、前記シフトレバーの移動経路を規制するシフトゲートとを含み、
前記シフトゲートは、前記シフトレバーを前記シフトゲート上の前記手動変速モードに対応する予め定められた位置に移動した場合に、前記シフトレバーを前記ギヤ段のアップシフトまたはダウンシフトの指示を示す位置への移動を可能とする形状を有する、請求項１〜６のいずれかに記載の車両の制御装置。
【請求項８】
車両の制御方法であって、前記車両は、複数のギヤ段が設定され、自動的に前記ギヤ段を変更する自動変速モードと運転者の変速指示に応じて前記ギヤ段を変更する手動変速モードとを有する自動変速機と、前記変速指示を受ける操作装置とを含み、前記操作装置は、前記変速指示を受けるための第１の操作部と、前記第１の操作部と独立して前記ギヤ段のアップシフトまたはダウンシフトの指示を受けるための第２の操作部とを含み、前記第１の操作部は、操作部材を有し、前記操作部材を前記手動変速モードに対応する予め定められた位置に移動することにより前記ギヤ段のアップシフトまたはダウンシフトの指示を受けることが可能となり、
前記制御方法は、
前記変速指示に対応した前記操作装置の状態を検出する検出ステップと、
前記操作部材が前記予め定められた位置に移動されていない場合に、前記操作装置が前記ギヤ段のアップシフトまたはダウンシフトの指示を受けたことを検出したときには、前記第２の操作部が前記車両に装着されていることを認識する認識ステップと、
前記操作装置の状態および前記認識ステップにおける認識結果に基づいて前記自動変速機を制御する制御ステップとを含む、車両の制御方法。
【請求項９】
前記制御方法は、前記車両の出荷前に、前記操作装置の状態に基づく前記認識ステップにおける認識結果を不揮発メモリに記憶するステップをさらに含む、請求項８に記載の車両の制御方法。
【請求項１０】
前記検出ステップは、
前記操作部材の位置を検出するステップと、
前記第１の操作部および前記第２の操作部のうちの少なくともいずれか一方に対する前記ギヤ段のアップシフトまたはダウンシフトの操作を検出するステップとを含み、
前記認識ステップは、前記操作部材の位置が前記予め定められた位置ではなく、かつ、前記ギヤ段のアップシフトまたはダウンシフトの操作を検出した場合に、前記第２の操作部が前記車両に装着されていることを認識する、請求項８または９に記載の車両の制御方法。
【請求項１１】
前記制御ステップは、
前記第２の操作部が前記車両に装着されていることが認識された場合に、前記第２の操作部が前記車両に装着されていない場合と異なる前記自動変速機の変速特性を設定するステップと、
前記操作装置の状態および設定された変速特性に基づいて前記自動変速機を制御するステップとを含む、請求項８〜１０のいずれかに記載の車両の制御方法。
【請求項１２】
前記車両は、ステアリングホイールをさらに含み、
前記第２の操作部は、前記運転者による前記ステアリングホイールの操作中に操作が可能な位置に設けられる、請求項８〜１１のいずれかに記載の車両の制御方法。
【請求項１３】
前記第２の操作部は、パドルシフトスイッチである、請求項８〜１２のいずれかに記載の車両の制御方法。
【請求項１４】
前記第１の操作部は、シフトレバーと、前記シフトレバーの移動経路を規制するシフトゲートとを含み、
前記シフトゲートは、前記シフトレバーを前記シフトゲート上の前記手動変速モードに対応する予め定められた位置に移動した場合に、前記シフトレバーを前記ギヤ段のアップシフトまたはダウンシフトの指示を示す位置への移動を可能とする形状を有する、請求項８〜１３のいずれかに記載の車両の制御方法。
【発明の詳細な説明】
【技術分野】
【０００１】
本発明は、手動変速モードを有する自動変速機が搭載された車両の制御に関し、特に、車両に設けられる自動変速機の操作装置として接続される機器を特定して、特定された機器に対応した変速制御を実施する技術に関する。
【背景技術】
【０００２】
従来、車両の動作を制御する制御ユニットは、車両の仕様に対応した制御ユニットが設定される。そのため、車両の仕様が多くなるほど仕様の異なる制御ユニットが多数必要となり、コスト上昇の要因となる場合がある。
【０００３】
このような問題に鑑みて、たとえば、特開２００４−６６９７４号公報（特許文献１）は、複数の制御ユニットの組み合わせに柔軟に対応することのできる車両制御装置を開示する。この車両制御装置は、メイン制御ユニットと、メイン制御ユニットと電気的に接続された通信線とを備え、車両各部を制御する複数のサブ制御ユニットを通信線に接続可能に構成される。メイン制御ユニットは、複数のサブ制御ユニットとの通信結果に基づいて各サブ制御ユニットの通信線への接続状態を判定するとともに、通信線に接続されたサブ制御ユニットに対して通信線を介して接続状態を通知する一方、メイン制御ユニットおよび通信線に接続されたサブ制御ユニットのうち少なくとも１つは複数の動作モードを実行可能に構成され、接続状態に応じて複数の動作モードの一を選択して実行することを特徴とする。
【０００４】
上述した公報に開示された車両制御装置によると、各制御ユニット間の通信結果から各ユニットの通信線への接続状態を判定しているので、車両１台毎に制御ユニットの組み合わせを記憶させる作業が不要であり、また組み合わせに応じた複数種の製品を用意する必要がなく、製造・管理コストを低減することができる。
【特許文献１】特開２００４−６６９７４号公報
【発明の開示】
【発明が解決しようとする課題】
【０００５】
しかしながら、上述した公報に開示された車両制御装置においては、メイン制御ユニットと複数のサブ制御ユニットとが搭載されることが前提となっているため、いずれか１つの制御ユニットに対して同様の機能を有する機器が複数個接続される場合には、機器の組合せ毎に制御ユニットを設定する必要があり、コストが上昇するという問題がある。
【０００６】
特に、手動変速モードを有する自動変速機においては、変速操作を行なう操作装置としては、シフトレバー以外にもパドルスイッチ等の操作装置が自動変速機の制御ユニットに接続される場合があり、シフトレバー以外の操作装置の有無に応じて、制御ユニットを設定する必要がある。
【０００７】
本発明は、上述した課題を解決するためになされたものであって、その目的は、自動変速機の操作装置として接続される機器を特定して、特定された機器に対応した変速制御を実施する車両の制御装置および制御方法を提供することである。
【課題を解決するための手段】
【０００８】
第１の発明に係る車両の制御装置において、車両は、複数のギヤ段が設定され、自動的にギヤ段を変更する自動変速モードと運転者の変速指示に応じてギヤ段を変更する手動変速モードとを有する自動変速機と、変速指示を受ける操作装置とを含む。操作装置は、変速指示を受けるための第１の操作部と、第１の操作部と独立してギヤ段のアップシフトまたはダウンシフトの指示を受けるための第２の操作部とを含む。第１の操作部は、操作部材を有し、操作部材を手動変速モードに対応する予め定められた位置に移動することによりギヤ段のアップシフトまたはダウンシフトの指示を受けることが可能となる。この制御装置は、変速指示に対応した操作装置の状態を検出するための検出手段と、操作部材が予め定められた位置に移動されていない場合に、操作装置がギヤ段のアップシフトまたはダウンシフトの指示を受けたことを検出したときには、第２の操作部が車両に装着されていることを認識するための認識手段と、操作装置の状態および認識手段の認識結果に基づいて自動変速機を制御するための制御手段とを含む。第８の発明に係る車両の制御方法は、第１の発明に係る車両の制御装置と同様の構成を有する。
【０００９】
第１の発明によると、操作部材が予め定められた位置に移動されていない場合に、操作装置がギヤ段のアップシフトまたはダウンシフトの指示を受けたことを検出したときには、第１の操作部の操作によりギヤ段のアップシフトまたはダウンシフトの操作が行なわれたものではないこと、すなわち、第２の操作部への操作によりギヤ段のアップシフトまたはダウンシフトの操作が行なわれたものであることを特定することができる。これにより、第２の操作部が車両に装着されているか否かを精度高く特定することができる。そのため、認識結果と操作装置の状態とに基づいて第２の操作部の装着の有無に応じた自動変速機の制御を実施することができる。すなわち、第２の操作部が車両に装着されているか否かにより制御装置を別途用意する必要がない。これにより、コストの上昇を抑制することができる。したがって、自動変速機の操作装置として接続される機器を特定して、特定された機器に対応した変速制御を実施する車両の制御装置および制御方法を提供することができる。
【００１０】
第２の発明に係る車両の制御装置は、第１の発明の構成に加えて、操作装置が第１の操作部および第２の操作部を含む場合と、第１の操作部のみを含む場合の両方に用いることが可能である。制御装置は、車両の出荷前に、操作装置の状態に基づく認識手段の認識結果を不揮発メモリに記憶するための手段をさらに含む。第９の発明に係る車両の制御方法は、第２の発明に係る車両の制御装置と同様の構成を有する。
【００１１】
第２の発明によると、車両の出荷前に、第２の操作部の装着の有無についての認識結果を不揮発メモリに予め記憶しておくことにより、車両の出荷後において、第２の操作部の装着の有無に応じた変速特性に基づいて自動変速機を制御することができる。また、制御装置は、操作装置が第１の操作部および第２の操作部を含む場合と、第１の操作部のみを含む場合の両方に用いることが可能であるため、第２の操作部が装着されているか否かにより制御装置を別途用意する必要がない。これにより、コストの上昇を抑制することができる。
【００１２】
第３の発明に係る車両の制御装置においては、第１または２の発明の構成に加えて、検出手段は、操作部材の位置を検出するための手段と、第１の操作部および第２の操作部のうちの少なくともいずれか一方に対するギヤ段のアップシフトまたはダウンシフトの操作を検出するための手段とを含む。認識手段は、操作部材の位置が予め定められた位置ではなく、かつ、ギヤ段のアップシフトまたはダウンシフトの操作を検出した場合に、第２の操作部が車両に装着されていることを認識する。第１０の発明に係る車両の制御方法は、第３の発明に係る車両の制御装置と同様の構成を有する。
【００１３】
第３の発明によると、操作部材の位置が予め定められた位置ではなく、かつ、ギヤ段のアップシフトまたはダウンシフトの操作を検出した場合に、第１の操作部の操作によりギヤ段のアップシフトまたはダウンシフトの操作が行なわれたものではないこと、すなわち、第２の操作部への操作によりギヤ段のアップシフトまたはダウンシフトの操作が行なわれたものであることを特定することができる。これにより、車両に第２の操作部が装着されているか否かを精度高く特定することができる。
【００１４】
第４の発明に係る車両の制御装置においては、第１〜３のいずれかの発明の構成に加えて、制御手段は、第２の操作部が車両に装着されていることが認識された場合に、第２の操作部が車両に装着されていない場合と異なる自動変速機の変速特性を設定するための手段と、操作装置の状態および設定された変速特性に基づいて自動変速機を制御するための手段とを含む。第１１の発明に係る車両の制御方法は、第４の発明に係る車両の制御装置と同様の構成を有する。
【００１５】
第４の発明によると、第２の操作部が車両に装着されていることが認識された場合に、第２の操作部が車両に装着されていない場合と異なる自動変速機の変速特性を設定することにより、第２の操作部の装着の有無に応じた自動変速機の制御を実施することができる。すなわち、第２の操作部が車両に装着されているか否かにより制御装置を別途用意する必要がない。これにより、コストの上昇を抑制することができる。
【００１６】
第５の発明に係る車両の制御装置においては、第１〜４のいずれかの発明の構成に加えて、車両は、ステアリングホイールをさらに含む。第２の操作部は、運転者によるステアリングホイールの操作中に操作が可能な位置に設けられる。第１２の発明に係る車両の制御方法は、第５の発明に係る車両の制御装置と同様の構成を有する。
【００１７】
第５の発明によると、運転者によるステアリングホイールの操作中に操作可能な位置に設けられる第２の操作部が装着された車両においては、第２の操作部が装着されない車両と異なる変速特性を設定することができる。そのため、第２の操作部が車両に装着されているか否かにより制御装置を別途用意する必要がない。これにより、コストの上昇を抑制することができる。
【００１８】
第６の発明に係る車両の制御装置においては、第１〜５のいずれかの発明の構成に加えて、第２の操作部は、パドルシフトスイッチである。第１３の発明に係る車両の制御方法は、第６の発明に係る車両の制御装置と同様の構成を有する。
【００１９】
第６の発明によると、パドルシフトスイッチが装着される車両においては、パドルシフトスイッチが装着されない車両と異なる変速特性を設定することができる。そのため、パドルシフトスイッチが車両に装着されているか否かにより制御装置を別途用意する必要がない。これにより、コストの上昇を抑制することができる。
【００２０】
第７の発明に係る車両の制御装置においては、第１〜６のいずれかの発明の構成に加えて、第１の操作部は、シフトレバーと、シフトレバーの移動経路を規制するシフトゲートとを含む。シフトゲートは、シフトレバーをシフトゲート上の手動変速モードに対応する予め定められた位置に移動した場合に、シフトレバーをギヤ段のアップシフトまたはダウンシフトの指示を示す位置への移動を可能とする形状を有する。第１４の発明に係る車両の制御方法は、第７の発明に係る車両の制御装置と同様の構成を有する。
【００２１】
第７の発明によると、第１の操作部においては、シフトレバーを手動変速モードに対応する予め定められた位置に移動しない限り、シフトレバーをギヤ段のアップシフトまたはダウンシフトの指示を示す位置に移動することができない。そのため、シフトレバーの位置が予め定められた位置ではなく、かつ、ギヤ段のアップシフトまたはダウンシフトの操作を検出した場合に、第１の操作部の操作によりギヤ段のアップシフトまたはダウンシフトの操作が行なわれたものではないこと、すなわち、第２の操作部への操作によりギヤ段のアップシフトまたはダウンシフトの操作が行なわれたものであることを特定することができる。これにより、車両に第２の操作部が装着されているか否かを精度高く特定することができる。
【発明を実施するための最良の形態】
【００２２】
以下、図面を参照しつつ、本発明の実施の形態について説明する。以下の説明では、同一の部品には同一の符号を付してある。それらの名称および機能も同じである。したがってそれらについての詳細な説明は繰返さない。
【００２３】
図１を参照して、本発明の実施の形態に係る車両の制御装置が搭載される車両について説明する。この車両は、ＦＦ（Front engine Front drive）車両である。なお、本実施の形態に係る車両の制御装置が搭載される車両は、ＦＦ以外の車両であってもよい。
【００２４】
車両は、エンジン１００と、自動変速機２０００と、ディファレンシャルギヤ５０００と、ドライブシャフト６０００と、前輪７０００と、ＥＣＵ８０００とを含む。自動変速機２０００は、トルクコンバータ（図示せず）と、プラネタリーギヤユニット３０００と、油圧回路４０００と、シフト操作装置８０１４と、パドルシフト装置１５１２とを含む。
【００２５】
自動変速機２０００は、所望のギヤ段を形成することにより、エンジン１００のクランクシャフトの回転数を所望の回転数に増速したり減速したりする。本実施の形態において、自動変速機２０００は、車両の状態に応じてギヤ段を自動で変更する自動変速モードに加えて、運転者の操作指示により、ギヤ段をアップシフトまたはダウンシフトする手動変速モードを有する。自動変速機２０００の出力ギヤは、ディファレンシャルギヤ５０００と噛合っている。
【００２６】
なお、自動変速機２０００は、有段式自動変速機であってもよいし、無段式自動変速機であって、かつ、有段式自動変速機と同様に離隔した複数の変速比を複数のギヤ段として予め設定し、運転者の変速指示によりギヤ段をアップシフトまたはダウンシフトするものであってもよい。
【００２７】
ディファレンシャルギヤ５０００にはドライブシャフト６０００がスプライン嵌合などによって連結されている。ドライブシャフト６０００を介して、左右の前輪７０００に動力が伝達される。
【００２８】
シフト操作装置８０１４は、シフトレバー８００４と、ポジションスイッチ８００５と、アップシフトスイッチ（１）８０１０と、ダウンシフトスイッチ（１）８０１２とを含む。
【００２９】
パドルシフト装置１５１２は、パドルシフトスイッチとして、パドル形状のアップシフトスイッチ（１）１５０８と、パドル形状のダウンシフトスイッチ（２）１５１０とを含む。
【００３０】
ＥＣＵ８０００には、車速センサ８００２と、ポジションスイッチ８００５と、アクセルペダル８００６に設けられたアクセルポジションセンサ８００７と、ブレーキペダル８００８に設けられたストップランプスイッチ８００９と、シフト操作装置８０１４のアップシフトスイッチ（１）８０１０およびダウンシフトスイッチ（１）８０１２と、パドルシフト装置１５１２のアップシフトスイッチ（２）１５０８およびダウンシフトスイッチ（２）１５１０とがハーネスなどを介して接続されている。
【００３１】
車速センサ８００２は、ドライブシャフト６０００の回転数から車両の車速を検出する。車速センサ８００２は、検出結果を表す信号をＥＣＵ８０００に送信する。
【００３２】
ポジションスイッチ８００５は、シフトレバー８００４の位置を検出する。ポジションスイッチ８００５は、シフトレバー８００４の位置を表すポジション信号をＥＣＵ８０００に送信する。ＥＣＵ８０００は、受信したシフトレバー８００４の位置に応じて自動変速機２０００を制御する。たとえば、シフトレバー８００４がＤ（ドライブ）ポジションに移動すると、ポジションスイッチ８００５は、シフトレバー８００４がＤポジションであることを表すポジション信号をＥＣＵ８０００に送信する。ＥＣＵ８０００は、Ｄポジションであることを表すポジション信号を受信すると、自動変速モードが設定され、車両の走行状態に応じて、ギヤ段が自動的に変更するように自動変速機２０００を制御する。
【００３３】
アップシフトスイッチ（１）８０１０は、運転者によりシフトレバー８００４をギヤ段のアップシフトの指示を示す位置に移動することによりアップシフト信号をＥＣＵ８０００に送信する。ダウンシフトスイッチ（１）８０１２は、運転者によりシフトレバー８００４をギヤ段のダウンシフトの指示を示す位置に移動することによりダウンシフト信号をＥＣＵ８０００に送信する。
【００３４】
同様に、アップシフトスイッチ（２）１５０８は、運転者によりアップシフトスイッチ（２）１５０８のパドル部分が操作されるとアップシフト信号をＥＣＵ８０００に送信する。ダウンシフトスイッチ（２）１５１０は、運転者によりダウンシフトスイッチ（２）１５１０のパドル部分が操作されるとダウンシフト信号をＥＣＵ８０００に送信する。
【００３５】
なお、ＥＣＵ８０００において、アップシフトスイッチ（１）８０１０からのアップシフト信号を入力する端子と、アップシフトスイッチ（２）１５０８からのアップシフト信号を入力する端子とは、同一の端子である。同様に、ＥＣＵ８０００において、ダウンシフトスイッチ（１）８０１２からのダウンシフト信号を入力する端子と、ダウンシフトスイッチ（２）１５１０からのダウンシフト信号を入力する端子とは、同一の端子である。
【００３６】
シフト操作装置８０１４は、シーケンシャルシフトマチック機構であって、シフトレバー８００４に加えて、図２に示すようなシーケンシャルシフトパターンを有するシフトゲート１５００をさらに含む。
【００３７】
シフトゲート１５００は、シフトレバー８００４の移動経路を規制する。シフトゲート１５００は、予め定められた形状を有し、Ｐ（パーキング）ポジションと、Ｒ（リバース）ポジションと、Ｎ（ニュートラル）ポジションと、Ｄポジションと、Ｍ（手動変速）ポジションと、アップシフトポジション（以下、（＋）ポジションと記載する）と、ダウンシフトポジション（以下、（−）ポジションと記載する）とが設定される。
【００３８】
シフトゲート１５００は、シフトレバー８００４がＤポジション横に設定したＭポジションに移動すると、シフトレバー８００４の（＋）ポジションまたは（−）ポジションへの移動を可能とする形状を有する。なお、シフトレバー８００４がＭポジションに移動すると、シフトレバー８００４がＭポジションであることを表すポジション信号がＥＣＵ８０００に送信される。
【００３９】
本実施の形態においてシフトゲート１５００は、シフトレバー８００４をＭポジションに移動した後でないと（＋）ポジションまたは（−）ポジションへの移動が行なえない形状であればよく、特に図２に示すシーケンシャルシフトパターンに限定されるものではない。
【００４０】
シフトレバー８００４が（＋）ポジションに移動すると、アップシフトスイッチ（１）８０１０がアップシフト信号をＥＣＵ８０００に送信する。シフトレバー８００４が（−）ポジションに移動すると、ダウンシフトスイッチ（１）がダウンシフト信号をＥＣＵ８０００に送信する。
【００４１】
なお、運転者がシフトレバー８００４をＭポジションに移動した場合、Ｍポジションを基準位置１５０２として設定されるため、運転者がシフトレバー８００４を（＋）ポジションまたは（−）ポジションに移動した後に操作力を解除すると、シフトレバー８００４には、ばね等による機械的な力が作用して基準位置１５０２に戻る。
【００４２】
パドルシフト装置１５１２は、図３に示すように、ステアリングホイール１５２０の後側（車両の前方側）に設けられる。なお、パドルシフト装置１５１２は、運転者によるステアリングホイール１５２０の操作中（すなわち、運転者が両手でステアリングホイールを握った状態であるとき）に操作が可能な箇所に設けられればよく、特に、図３に示す位置に限定されるものではない。
【００４３】
また、本実施の形態においては、運転者がステアリングホイール１５２０に向いて右側にアップシフトスイッチ（２）１５０８が設けられ、左側にダウンシフトスイッチ（２）１５１０が設けられるとして説明するが、アップシフトスイッチ（２）１５０８と、ダウンシフトスイッチ（２）とが設けられる位置は、特に図３に示される位置に限定されるものではない。
【００４４】
運転者が両手でステアリングホイール１５２０を握ったまま指でアップシフトスイッチ（２）１５０８を操作すると、アップシフトスイッチ（２）１５０８はアップシフト信号をＥＣＵ８０００に送信する。具体的には、アップシフトスイッチ（２）１５０８のパドル部分を運転者が手前に引くことにより、アップシフトスイッチ（２）１５０８がアップシフト信号をＥＣＵ８０００に送信する。なお、運転者がアップシフトスイッチ（２）１５０８のパドル部分への操作力を解除すると、パドル部分は基準位置に戻る。
【００４５】
同様に、運転者が指でダウンシフトスイッチ（２）１５１０を操作すると、ダウンシフトスイッチ（２）１５１０がダウンシフト信号をＥＣＵ８０００に送信する。具体的には、ダウンシフトスイッチ（２）１５１０のパドル部分を運転者が手前に引くことにより、ダウンシフトスイッチ（２）１５１０がダウンシフト信号をＥＣＵ８０００に送信する。なお、運転者がダウンシフトスイッチ（２）１５１０のパドル部分への操作力を解除すると、ばね等による機械的な力が作用してパドル部分は基準位置に戻る。
【００４６】
なお、パドルシフト装置１５１２に代えて、ステアリングホイール１５２０に設けられるアップシフトスイッチおよびダウンシフトスイッチを含むシフト操作装置を用いてもよい。
【００４７】
以上のような構成を有する車両において、自動変速機のギヤ段を増減する操作を行なう機器として、シフト操作装置８０１４のみを搭載する車両と、シフト操作装置８０１４に加えてパドルシフト装置１５１２を搭載する車両とにおいては、要求される車両の仕様（たとえば、変速特性）が異なる。しかしながら、車両の仕様毎に対応する制御ユニットを設定すると、コストが上昇する場合がある。
【００４８】
そこで、本実施の形態においては、ＥＣＵ８０００が、シフトレバー８００４がＭポジションに移動されていない場合に、ギヤ段のアップシフトまたはダウンシフトの指示を受けたことを検出したときには、パドルシフト装置１５１２が車両に装着されていることを認識して、認識結果およびシフト操作装置８０１４またはパドルシフト装置１５１２の状態に基づいて自動変速機２０００を制御する点に特徴を有する。
【００４９】
具体的には、ＥＣＵ８０００は、ポジションスイッチ８００５からの検出信号に基づくシフトレバー８００４の位置がＭポジションではなく、かつ、アップシフト信号またはダウンシフト信号を受信する場合に、パドルシフト装置１５１２が車両に装着されていることを認識する。
【００５０】
また、ＥＣＵ８０００は、パドルシフト装置１５１２が車両に装着されていることが認識された場合に、パドルシフト装置１５１２が車両に装着されていない場合と異なる自動変速機２０００の変速特性を設定して、シフト操作装置８０１４およびパドルシフト装置１５１２の状態と設定された変速特性とに基づいて自動変速機２０００を制御する。
【００５１】
図４に、本実施の形態に係る車両の制御装置であるＥＣＵ８０００の機能ブロック図を示す。
【００５２】
図４に示すように、ＥＣＵ８０００は、装着認識部１００と、認識情報記憶部２００と、手動変速制御部３００とを含む。
【００５３】
装着認識部１００は、ポジション信号と、アップシフト信号と、ダウンシフト信号とをシフト操作装置８０１４から受信する。装着認識部１００は、アップシフト信号と、ダウンシフト信号とをパドルシフト装置１５１２から受信する。
【００５４】
装着認識部１００は、ポジション信号に基づいてシフトポジションがＭポジション以外のシフトポジションであって、かつ、アップシフト信号またはダウンシフト信号を受信する場合に、車両にパドルシフト装置１５１２が装着されていることを認識する。装着認識部１００は、認識結果（すなわち、パドルシフト装置１５１２の装着の有無）を認識情報記憶部２００に送信する。
【００５５】
認識情報記憶部２００は、認識結果を記憶する。なお、認識情報記憶部２００は、認識結果のほか、パドルシフト装置１５１２の装着の有無に対応した変速特性を記憶しておくようにしてもよい。
【００５６】
手動変速制御部３００は、認識情報記憶部２００からパドルシフト装置１５１２の装着の有無についての記憶情報を読み出して、別途記憶された複数の変速特性のうちパドルシフト装置１５１２の装着の有無に対応した変速特性を選択する。あるいは、手動変速制御部３００は、認識情報記憶部２００からパドルシフト装置１５１２の装着の有無に応じた変速特性を読み出すようにしても良い。
【００５７】
手動変速制御部３００は、選択された変速特性と、シフト操作装置８０１４およびパドルシフト装置１５１２のうちの少なくともいずれか一方から受信するアップシフト信号またはダウンシフト信号に基づいて自動変速機２０００を制御する。
【００５８】
たとえば、手動変速制御部３００は、アップシフト信号を受信すると、現在のギヤ段が一段だけアップシフトするように自動変速機２０００に対して制御信号を送信する。あるいは、手動変速制御部３００は、ダウンシフト信号を受信すると、現在のギヤ段が一段だけダウンシフトするように自動変速機２０００に対して制御信号を送信する。
【００５９】
なお、手動変速制御部３００は、パドルシフト装置１５１２が車両に装着されている場合は、変速操作により変更したギヤ段を固定し、パドルシフト装置１５１２が車両に装着されていない場合は、変速操作により変更したギヤ段を最大ギヤ段として車両の状態に応じたギヤ段となるように自動変速機２０００を制御するようにしてもよい。
【００６０】
また、手動変速制御部３００は、パドルシフト装置１５１２の装着の有無により、変速操作により変更したギヤ段を固定する変速と、変速操作により変更したギヤ段を最大ギヤ段とする変速とのうちのいずれかを選択することに特に限定されるものではない。
【００６１】
たとえば、手動変速制御部３００は、パドルシフト装置１５１２の装着の有無に関わらず変速操作により変更したギヤ段を最大ギヤ段として車両の状態に応じて変速するものとし、パドルシフト装置１５１２の装着の有無により変速のタイミング（すなわち、変速線図）を変更するようにしてもよい。
【００６２】
手動変速制御部３００は、パドルシフト装置１５１２が装着されている場合には、加速性能を向上させてスポーツ走行に対応した変速線図を用いて自動変速機２０００を制御し、パドルシフト装置１５１２が装着されていない場合には、スポーツ走行に対応した変速線図よりも燃費性能あるいは静粛性能が向上した変速線図を用いて自動変速機２０００を制御するようにしてもよい。
【００６３】
また、本実施の形態において、装着認識部１００と、認識情報記憶部２００と、手動変速制御部３００とは、いずれもＥＣＵ８０００内に設けられるＣＰＵ（Central Processing Unit）がメモリに記憶されたプログラムを実行することにより実現される、ソフトウェアとして機能するものとして説明するが、ハードウェアにより実現されるようにしてもよい。なお、このようなプログラムは記憶媒体に記録されて車両に搭載される。
【００６４】
図５を参照して、本実施の形態に係る車両の制御装置であるＥＣＵ８０００で実行されるプログラムの制御構造について説明する。
【００６５】
ステップ（以下、ステップをＳと記載する）１００にて、ＥＣＵ８０００は、シフトポジションがＭポジションであるか否かを判定する。シフトポジションがＭポジションであると（Ｓ１００にてＹＥＳ）、処理はＳ１００に戻されて、Ｍポジションでないと判定されるまで待機する。シフトポジションがＭポジションでないと（Ｓ１００にてＮＯ）、処理はＳ１０２に移される。
【００６６】
Ｓ１０２にて、ＥＣＵ８０００は、アップシフト信号およびダウンシフト信号のうちのいずれかの信号の入力があるか否かを判定する。アップシフト信号およびダウンシフト信号のうちのいずれかの信号の入力があると（Ｓ１０２にてＹＥＳ）、処理はＳ１０４に移される。もしそうでないと（Ｓ１０２にてＮＯ）、処理はＳ１０６に移される。
【００６７】
Ｓ１０４にて、ＥＣＵ８０００は、パドルシフト装置１５１２が車両に装着されていることを認識する。Ｓ１０６にて、ＥＣＵ８０００は、パドルシフト装置１５１２が車両に装着されていないことを認識する。
【００６８】
Ｓ１０８にて、ＥＣＵ８０００は、認識結果およびアップシフト信号またはダウンシフト信号に基づいて自動変速機２０００の変速制御を実施する。
【００６９】
以上のような構造およびフローチャートに基づく本実施の形態に係る車両の制御装置であるＥＣＵ８０００の動作について説明する。
【００７０】
たとえば、図１に示すように、パドルシフト装置１５１２が車両に装着されている場合を想定する。シフトポジションがＭポジションでない場合に（Ｓ１００にてＮＯ）、運転者がアップシフトスイッチ（２）１５０８あるいはダウンシフトスイッチ（２）１５１０を操作することにより、アップシフトスイッチ（２）１５０８またはダウンシフトスイッチ（２）１５１０からＥＣＵ８０００に対してアップシフト信号またはダウンシフト信号が送信される（Ｓ１０２にてＹＥＳ）、そのため、パドルシフト装置１５１２が車両に装着されていることが認識される（Ｓ１０４）。
【００７１】
そして、認識結果およびアップシフト信号またはダウンシフト信号に基づいて自動変速機２０００の変速制御が実施される。たとえば、図６に示すように、パドルシフト装置１５１２が車両に装着されていることが認識されると（すなわち、車両Ａの仕様であることが認識されると）、手動変速モードとしては、タイプＡが設定される。タイプＡに対応する変速特性はスポーツタイプの変速特性である。そのため、ＥＣＵ８０００は、車両の状態と、アップシフト信号またはダウンシフト信号と、スポーツタイプの変速特性とに基づいて自動変速機２０００を制御する。
【００７２】
あるいは、図７に示すように、パドルシフト装置１５１２が車両に装着されていない場合を想定する。シフトポジションがＭポジションでない場合において（Ｓ１００にてＮＯ）、アップシフト信号あるいはダウンシフト信号を受信することはない（Ｓ１０２にてＮＯ）。そのため、パドルシフト装置１５１２が車両に装着されていないことが認識される（Ｓ１０４）。
【００７３】
そして、認識結果およびアップシフト信号またはダウンシフト信号に基づいて自動変速機２０００の変速制御が実施される。たとえば、図６に示すように、パドルシフト装置１５１２が車両に装着されていないことが認識されると（すなわち、車両Ｂの仕様であることが認識されると）、手動変速モードとしては、タイプＢが設定される。タイプＢに対応する変速特性はラグジュアリタイプの変速特性である。そのため、ＥＣＵ８０００は、車両の状態と、アップシフト信号またはダウンシフト信号と、ラグジュアリタイプの変速特性とに基づいて自動変速機２０００を制御する。
【００７４】
なお、パドルシフト装置１５１２の車両の装着の有無に関わらずＥＣＵ８０００は、共通のＥＣＵが用いられる。
【００７５】
以上のようにして本実施の形態に係る車両の制御装置によると、シフトレバーがＭポジションに移動されていない場合に、ギヤ段のアップシフトまたはダウンシフトの指示を受けたことを検出したときには、シフトレバーの操作によりギヤ段のアップシフトまたはダウンシフトの操作が行なわれたものではないこと、すなわち、パドルシフト装置への操作によりギヤ段のアップシフトまたはダウンシフトの操作が行なわれたものであることを特定することができる。これにより、パドルシフト装置が車両に装着されているか否かを精度高く特定することができる。そのため、認識結果とシフト操作装置またはパドルシフト装置の状態とに基づいてパドルシフト装置の装着の有無に応じた自動変速機の制御を実施することができる。すなわち、パドルシフト装置が車両に装着されているか否かにより制御装置を別途用意する必要がない。これにより、コストの上昇を抑制することができる。したがって、自動変速機の操作装置として接続される機器を特定して、特定された機器に対応した変速制御を実施する車両の制御装置および制御方法を提供することができる。
【００７６】
また、パドルシフト装置からの信号と、シフト操作装置からの信号とを共通の入力端子から入力するため、ＥＣＵの内部および外部においてパドルシフト装置の通信線とシフト操作装置の通信線とを並行して設ける必要がなくなるため、コストの上昇を抑制することができる。
【００７７】
さらに、パドルシフト装置が車両に装着されていることが認識された場合に、パドルシフト装置が車両に装着されていない場合と異なる自動変速機の変速特性を設定することにより、パドルシフト装置の装着の有無に応じた自動変速機の制御を実施することができる。
【００７８】
また、ＥＣＵは、シフト操作装置とパドルシフト装置を含む場合と、シフト操作装置のみを含む場合の両方に用いることが可能であるため、部品の共通化が図れ、コストの上昇を抑制することができる。
【００７９】
また、このような車両の制御装置によれば、たとえば、出荷前の車両に対して、シフトポジションがＭポジションでないときに、アップシフトスイッチ（２）あるいはダウンシフトスイッチ（２）を操作して、パドルシフト装置の装着の有無について不揮発メモリに記憶しておくことにより、出荷後の車両においては、パドルシフト装置の装着の有無に対応した変速特性に基づいて自動変速機が制御されることとなる。
【００８０】
さらに、本実施の形態においては、シフトポジションがＭポジションでないとき、アップシフトスイッチ（２）あるいはダウンシフトスイッチ（２）からアップシフト信号あるいはダウンシフト信号がないと、パドルシフト装置が車両に装着されていないことを判定するようにし、パドルシフト装置が車両に装着されていない場合の変速特性に基づいて自動変速機を制御するとして説明したが、特にこのような制御態様に限定されるものではない。
【００８１】
たとえば、パドルシフト装置が車両に装着されていない場合の変速特性を初期値として設定しておき、シフトポジションがＭポジションでないとき、アップシフト信号あるいはダウンシフト信号を受信しない限り、初期値に基づいて自動変速機を制御し、シフトポジションがＭポジションでないとき、アップシフト信号あるいはダウンシフト信号を受信した場合に、パドルシフト装置が車両に装着された場合の変速特性に基づいて自動変速機２０００を制御するようにしてもよい。
【００８２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８３】
【図１】本実施の形態に係る車両の制御装置であるＥＣＵが搭載される車両（パドルシフト装置あり）の構成を示す図である。
【図２】シフトゲートの形状を示す図である。
【図３】ステアリングホイールに設けられたパドルシフト装置を示す図である。
【図４】本実施の形態に係る車両の制御装置であるＥＣＵの機能ブロック図である。
【図５】本実施の形態に係る車両の制御装置であるＥＣＵで実行されるプログラムの制御構造を示すフローチャートである。
【図６】パドルシフト装置の有無と変速特性との関係を示す図である。
【図７】本実施の形態に係る車両の制御装置であるＥＣＵが搭載される車両（パドルシフト装置なし）の構成を示す図である。
【符号の説明】
【００８４】
１００  エンジン、１００  装着認識部、２００  認識情報記憶部、３００  手動変速制御部、１５００  シフトゲート、１５１２  パドルシフト装置、１５２０  ステアリングホイール、２０００  自動変速機、３０００  プラネタリーギヤユニット、４０００  油圧回路、５０００  ディファレンシャルギヤ、６０００  ドライブシャフト、７０００  前輪、８０００  ＥＣＵ、８００２  車速センサ、８００４  シフトレバー、８００５  ポジションスイッチ、８００６  アクセルペダル、８００７  アクセルポジションセンサ、８００８  ブレーキペダル、８００９  ストップランプスイッチ、８０１４  シフト操作装置。
【図１】
2010025277.tif 000003
【図２】
2010025277.tif 000004
【図３】
2010025277.tif 000005
【図４】
2010025277.tif 000006
【図５】
2010025277.tif 000007
【図６】
2010025277.tif 000008
【図７】
2010025277.tif 000009